(57)【要約】  【課題】  簡単な構成で、ディスクの保持力を向上させることができ、しかも薄型・軽量化，コストダウンを図ることが可能なディスククランプ装置を提供する。  【解決手段】  ディスク３を回転駆動するモーターのローター１と、ローター１との間でディスク３を挟持するクランパー６とを有し、クランパー６に、ディスク３の中心孔３ａに嵌合されディスク３をセンタリングするセンタリング部６ｂを備えた。また、センタリング部６ｂにマグネット７を設け、マグネット７で磁性体であるローター１を吸引することにより、ローター１とクランパー６とでディスク３を保持するようにした。また、ローター１及びクランパー６に、それぞれディスク３を挟んで対峙するようにラバーマグネット８，９を設け、ラバーマグネット８，９のそれぞれ向かい合う面が対極となるように着磁した。【選択図】      図２
2006065907.tif 000002
【特許請求の範囲】
【請求項１】
ディスクを回転駆動するモーターのローターと、該ローターとの間で前記ディスクを挟
持するクランパーとを有し、該クランパーに、前記ディスクの中心孔に嵌合され該ディス
クをセンタリングするセンタリング部を備え、
前記センタリング部にマグネットを設け、該マグネットで磁性体である前記ローターを
吸引することにより、該ローターと前記クランパーとで前記ディスクを保持するようにし
て、
前記ローター及び前記クランパーに、それぞれ前記ディスクを挟んで対峙するようにラ
バーマグネットを設け、該ラバーマグネットのそれぞれ向かい合う面が対極となるように
着磁し、
前記モーターの回転軸が前記クランパーの中心孔に挿入されることにより、前記クラン
パーが芯出しされるようにしたことを特徴とするディスククランプ装置。
【請求項２】
ディスクを回転駆動するモーターのローターと、該ローターとの間で前記ディスクを挟
持するクランパーとを有し、該クランパーに、前記ディスクの中心孔に嵌合され該ディス
クをセンタリングするセンタリング部を備えたことを特徴とするディスククランプ装置。
【請求項３】
前記センタリング部にマグネットを設け、該マグネットで磁性体である前記ローターを
吸引することにより、該ローターと前記クランパーとで前記ディスクを保持するようにし
たことを特徴とする請求項２に記載のディスククランプ装置。
【請求項４】
前記ローター及び前記クランパーに、それぞれ前記ディスクを挟んで対峙するようにラ
バーマグネットを設け、該ラバーマグネットのそれぞれ向かい合う面が対極となるように
着磁したことを特徴とする請求項２又は請求項３に記載のディスククランプ装置。
【請求項５】
前記モーターの回転軸が前記クランパーの中心孔に挿入されることにより、前記クラン
パーが芯出しされるようにしたことを特徴とする請求項２〜請求項４のいずれかに記載の
ディスククランプ装置。
【発明の詳細な説明】
【技術分野】
【０００１】
本発明は、例えば光ディスクのような情報記録媒体としてのディスクを回転自在に保持
するための、ディスククランプ装置に関するものである。
【背景技術】
【０００２】
図３は、このような従来のディスククランプ装置の一例を模式的に示す縦断面図である
。同図において、１は略キャップ状をした例えば鉄製のローターであり、これはディスク
を回転駆動するスピンドルモーター（不図示）の一部材となっており、中心を貫く回転軸
Ｘと一体に回転する。ローター１の上面中央部には、上方へ突設する凸部１ａが形成され
ている。凸部１ａの上面には、略円板状をした例えば樹脂製のターンテーブル２が、ロー
ター１に同軸に取付固定されている。
【０００３】
そして、ターンテーブル２の上面中央部より、ディスクをセンタリングする略円柱状の
センタリング部２ａが立設しており、センタリング部２ａの外周上縁部には、テーパ状の
傾斜面２ｂが形成されている。また、回転軸Ｘはターンテーブル２の中心を貫通して上方
へ突出している。情報記録媒体としてのディスク３がターンテーブル２に載置される際に
は、ディスク３の中心孔３ａが傾斜面２ｂに案内され、センタリング部２ａに嵌合する。
これにより、ディスク３がターンテーブル２上でセンタリングされる。
【０００４】
ターンテーブル２の上面外周には、リング状をしたゴム或いはフェルト等より成るシー
ト部材４が貼付されており、これにより、ディスク３の滑り止めを行うとともに、傷付き
を防止している。なお、図示しないが、センタリング部２ａの外周面に、これより外側へ
付勢される爪部材等を設け、これによりセンタリング部２ａに嵌合したディスク３の中心
孔３ａ内周面を押圧し、ディスク３をセンタリングしつつ保持する構成としても良い。
【０００５】
また、センタリング部２ａの上面には、小さいリング状をした鉄製のヨーク５が埋設さ
れている。一方、ターンテーブル２の上方には、これとの間でディスク３を挟み込む略円
板状をした例えば樹脂製のクランパー６が位置しており、その下面中央部には小さいリン
グ状のマグネット７が埋設されている。そして、マグネット７がヨーク５を吸引すること
により、ディスク３がターンテーブル２上のシート部材４とクランパー６との間に挟まれ
、保持される。
【０００６】
このとき、回転軸Ｘの上部がクランパー６の中心に開けられた中心孔６ａに挿入，嵌合
され、クランパー６が芯出しされる。但し、このような構成に限定されるものではなく、
例えばクランパー６がターンテーブル２のセンタリング部２ａと嵌合して芯出しされる構
成としても良い。
【０００７】
なお、クランパー６は例えば、図示しない支持体に回転自在に取り付けられており、そ
の支持体が上昇した状態でディスク３が図示しないトレイにより搬送されてターンテーブ
ル２に載置される。そして、支持体が下降することによりディスク３がターンテーブル２
とクランパー６との間に挟み込まれる構成となっている。但し、このような支持体やトレ
イを用いた構成に限定されるものでは勿論ない。
【０００８】
その他、ディスククランプ機構として、ディスクの厚さ寸法が変動してもほぼ安定した
保持力でディスクをターンテーブルに強固に保持し、また高速回転においてもディスク自
体が浮き上がらないような押圧力を有し、磁気ノイズが小さく、薄型モーターに対応した
ものが、特許文献１に開示されている。
【特許文献１】特開２００３−１８７５１０号公報
【発明の開示】
【発明が解決しようとする課題】
【０００９】
しかしながら、このような光ディスクに対する情報の記録／再生については、近年益々
高倍速化が求められてきており、それに伴いスピンドルモーターの高速化も不可欠となっ
てきている。従って、ディスククランプ装置においては、ディスクの滑り止めのため、デ
ィスクの保持力をより向上させなければならない。一方、装置の薄型・軽量化，コストダ
ウン等は常に求められており、高速化に伴う保持力の向上とは相反するものとなっている
。
【００１０】
そして、上記図３で説明した従来の構成や特許文献１に記載されたような構成において
は、ディスクを載置するターンテーブルは必要不可欠となっており、ディスクの保持力を
向上させつつ、これ以上の装置の薄型・軽量化，コストダウンを図ることは難しいものと
なっている。
【００１１】
本発明は、以上のような問題点に鑑み、簡単な構成で、ディスクの保持力を向上させる
ことができ、しかも薄型・軽量化，コストダウンを図ることが可能なディスククランプ装
置を提供することを目的とする。
【課題を解決するための手段】
【００１２】
上記目的を達成するために、本発明では、ディスクを回転駆動するモーターのローター
と、そのローターとの間で前記ディスクを挟持するクランパーとを有し、そのクランパー
に、前記ディスクの中心孔に嵌合されそのディスクをセンタリングするセンタリング部を
備えたことを特徴とする。
【００１３】
また、前記センタリング部にマグネットを設け、そのマグネットで磁性体である前記ロ
ーターを吸引することにより、そのローターと前記クランパーとで前記ディスクを保持す
るようにしたことを特徴とする。
【００１４】
また、前記ローター及び前記クランパーに、それぞれ前記ディスクを挟んで対峙するよ
うにラバーマグネットを設け、そのラバーマグネットのそれぞれ向かい合う面が対極とな
るように着磁したことを特徴とする。
【００１５】
また、前記モーターの回転軸が前記クランパーの中心孔に挿入されることにより、前記
クランパーが芯出しされるようにしたことを特徴とする。
【発明の効果】
【００１６】
本発明によれば、簡単な構成で、ディスクの保持力を向上させることができ、しかも薄
型・軽量化，コストダウンを図ることが可能なディスククランプ装置を提供することがで
きる。
【００１７】
具体的には、従来のターンテーブルを省略し、その役割をローターとクランパーに持た
せるようにしたことにより、薄型・軽量化，コストダウンを図れるようにしている。また
、クランパーのセンタリング部にマグネットを設け、そのマグネットで磁性体であるロー
ターを吸引するようにしたことにより、マグネットとローターとの間で磁気回路が形成さ
れやすい構成とすることができるので、強い吸引力を得ることができる。
【００１８】
また、ローター及びクランパーに、それぞれディスクを挟んで対峙するようにラバーマ
グネットを設け、ラバーマグネットのそれぞれ向かい合う面が対極となるように着磁した
ことにより、前記マグネットとローターによる吸引力を補佐し、ディスクの保持力を向上
させることができる。さらに、ラバーマグネットでディスクの滑り止め及び傷付き防止の
働きを兼ねているので、装置の性能を向上させつつコストダウンを図ることができる。
【００１９】
また、モーターの回転軸がクランパーの中心孔に挿入されることでクランパーが芯出し
される構成としたことにより、クランパーの芯ブレに起因する記録／再生上の不具合を防
止することができる。
【発明を実施するための最良の形態】
【００２０】
以下、本発明の実施の形態について、図面を参照しながら説明する。なお、上記従来の
構成と同様の働きをする部分には同一の符号を付して、詳細な説明を適宜省略する。
【実施例１】
【００２１】
図１は、本発明の実施例１に係るディスククランプ装置を模式的に示す縦断面図である
。本実施例では、上記従来のターンテーブル２を削除し、その役割をローター１とクラン
パー６に持たせている。具体的には、ローター１にディスク３が載置され、クランパー６
によりディスク３がセンタリングされる。クランパー６はその下面中央部より、ディスク
３をセンタリングする略円柱状のセンタリング部６ｂが下方に突設しており、センタリン
グ部６ｂの外周下縁部には、テーパ状の傾斜面６ｃが形成されている。
【００２２】
一方、略キャップ状をした例えば鉄製(磁性体であれば良い)のローター１の上面中央部
には、下方に凹設する凹部１ｂが形成されている。また、回転軸Ｘはローター１の中心か
ら上方へ突出している。情報記録媒体としてのディスク３がローター１に載置された後に
は、ディスク３の中心孔３ａが傾斜面６ｃに案内され、センタリング部６ｂに嵌合する。
これにより、ディスク３がローター１上でセンタリングされる。
【００２３】
ローター１の上面外周には、リング状をしたゴム等の弾性体或いはフェルト等より成る
シート部材４が貼付されており、これにより、ディスク３の滑り止めを行うとともに、傷
付きを防止している。なお、図示しないが、センタリング部６ｂの外周面に、これより外
側へ付勢される爪部材等を設け、これによりセンタリング部６ｂに嵌合したディスク３の
中心孔３ａ内周面を押圧し、ディスク３をセンタリングしつつ保持する構成としても良い
。
【００２４】
また、センタリング部６ｂの下面には、小さいリング状をしたマグネット７が埋設され
ている。そして、ディスク３をクランプする際には、センタリング部６ｂがローター１の
凹部１ｂに入り込み、マグネット７がローター１を吸引することにより、ディスク３がロ
ーター１上のシート部材４とクランパー６との間に挟まれ、保持される。この場合、マグ
ネット７がローター１の凹部１ｂに入り込む構成により、マグネット７とローター１との
間で磁気回路が形成されやすいので、上記従来のヨーク５を用いた場合より、強い吸引力
を得ることができる。
【００２５】
また同時に、回転軸Ｘの上部がクランパー６の中心に開けられた中心孔６ａに挿入，嵌
合され、クランパー６が芯出しされる。但し、このような構成に限定されるものではなく
、例えばクランパー６のセンタリング部６ｂがローター１の凹部１ｂと嵌合して芯出しさ
れる構成としても良い。
【００２６】
なお、クランパー６は例えば、図示しない支持体に回転自在に取り付けられており、そ
の支持体が上昇した状態でディスク３が図示しないトレイにより搬送されてローター１に
載置される。そして、支持体が下降することによりディスク３がローター１とクランパー
６との間に挟み込まれる構成となっている。但し、このような支持体やトレイを用いた構
成に限定されるものでは勿論ない。
【実施例２】
【００２７】
図２は、本発明の実施例２に係るディスククランプ装置を模式的に示す縦断面図である
。本実施例では、上記実施例１の構成において、シート部材４の代わりに、弾性を持たせ
た磁石であるラバーマグネット８を、ローター１の上面外周に貼付している。加えて、デ
ィスク３を挟んでラバーマグネット８と対峙するように、同じく弾性を持たせた磁石であ
るラバーマグネット９を、クランパー６の下面外周に埋設した構成としている。
【００２８】
ラバーマグネット８，９は予め着磁しておき、それぞれ向かい合う面が対極となるよう
に設けることで、これらの間で吸引力が生じるようにしている。例えば、ローター１に設
けたラバーマグネット８の面をＮ極に設定したならば、クランパー６に設けたラバーマグ
ネット９の面をＳ極に設定する。これにより、マグネット７とローター１による吸引力を
補佐し、ディスク３の保持力を向上させている。
【００２９】
ここではラバーマグネット８でシート部材４の働きを兼ねているので、装置の性能を向
上させつつコストダウンを図ることができる。さらに、現状ではシート部材よりラバーマ
グネットの方が安価であるため、スピンドルモーターの高速化が要求されるときは、本実
施例のようにラバーマグネット８，９同士で吸引する構成とすることにより、比較的低コ
ストで対応することが可能となる。
【００３０】
なお、上記図１で示した実施例１の構成において、シート部材４の代わりにラバーマグ
ネット８を用いても良い。この場合、マグネットの機能を有する必要はないが、前述した
ように、シート部材よりラバーマグネットの方が現状では安価であるため、シート部材を
ラバーマグネットとすればコストダウンを図ることができる。
【図面の簡単な説明】
【００３１】
【図１】本発明の実施例１に係るディスククランプ装置を模式的に示す縦断面図。
【図２】本発明の実施例２に係るディスククランプ装置を模式的に示す縦断面図。
【図３】従来のディスククランプ装置の一例を模式的に示す縦断面図。
【符号の説明】
【００３２】
１    ローター
２    ターンテーブル
３    ディスク
４    シート部材
５    ヨーク
６    クランパー
７    マグネット
８，９    ラバーマグネット
【図１】
2006065907.tif 000003
【図２】
2006065907.tif 000004
【図３】
2006065907.tif 000005